(57)【要約】【課題】設置が容易あり、初期消火に適した簡易なビル用消火栓設備を提供すること。【解決手段】ビル用消火栓設備１は、ビル２０の各階に設置されている消火栓ユニット２と、ビル２０の地下室に設置されている消火用水タンク３と、この消火用水タンク３に貯留されている消火用水を圧送するための圧送ユニット４と、この圧送ユニット４によって圧送される消火用水を各階の消火栓ユニット２に供給するための垂直圧送管５とを有している。垂直圧送管５には、１５Ｍｐａ以上の耐圧特性を備えた高圧ゴムホースが用いられている。垂直圧送管５には、各階の消火栓ユニット２に対応する部位に分岐管６が接続されている。各階の消火栓ユニット２は、垂直圧送管５の分岐管６に後端が接続されている消火用ホース７と、この消火用ホース７の先端に取り付けられている放水ノズル８とを備えている。消火用ホース７にも高圧ゴムホースが用いられている。【選択図】図１
2009125360.tif 000002
【特許請求の範囲】
【請求項１】
ビルの各階に設置されている消火栓ユニットと、
ビル内に設置されている消火用水タンクと、
この消火用水タンクに貯留されている消火用水を圧送するための圧送ユニットと、
前記圧送ユニットによって圧送される消火用水を各階の消火栓ユニットに供給するために、ビルの１階から最上階まで垂直に延びている垂直圧送管とを有し、
この垂直圧送管には、高圧ゴムホースが用いられていることを特徴とするビル用消火栓設備。
【請求項２】
請求項１に記載のビル用消火栓設備において、
垂直圧送管には、各階の消火栓ユニットに対応する部位に分岐管が接続されており、
各階の消火栓ユニットは、垂直圧送管の分岐管に後端が接続されている消火用ホースと、この消火用ホースの先端に取り付けられている放水ノズルとを備えており、
消火用ホースには、高圧ゴムホースが用いられていることを特徴とするビル用消火栓設備。
【請求項３】
請求項２に記載のビル用消火栓設備において、
各階の消火栓ユニットは、放水ノズルが配置されている放水ノズル配置部と、この放水ノズル配置部から放水ノズルが取り外されるとスタート信号を発信するスタートスイッチとを備えており、
圧送ユニットは、スタート信号を受け取ると消火用水の圧送を開始することを特徴とするビル用消火栓設備。
【請求項４】
請求項１、２または３に記載のビル用消火栓設備において、
高圧ゴムホースは、１５Ｍｐａ以上の耐圧性能を備えていることを特徴とするビル用消火栓設備。
【請求項５】
請求項１ないし４のうちのいずれかの項に記載のビル用消火栓設備において、
放水ノズルからの放水量が５〜１０リットル／分であることを特徴とするビル用消火栓設備。
【請求項６】
請求項５に記載のビル用消火栓設備において、
放水ノズルは噴霧角度を調整可能であることを特徴とするビル用消火栓設備。
【発明の詳細な説明】
【技術分野】
【０００１】
本発明は、簡単かつ安価に設置でき、初期消火に適した操作が簡単なビル用消火栓設備に関する。
【背景技術】
【０００２】
マンションやホテルなどのビルの屋内には、建物の内部に及んだ火災を消すための消火栓設備が設置されている。消火栓設備は、建物の地下に設けられた防火用水槽と、この防火用水槽から防火用水を汲み上げて圧送する消火栓ポンプと、汲み上げられた防火用水を各階毎に設置されている消火栓に送るための送水管と、消火栓に接続されている消防ホースと、消防ホースの先端に取り付けられている放水ノズルを有している。消火栓、消防ホースおよび放水ノズルは消火栓箱内に収められている。
【０００３】
火災が発生すると、消火栓箱から放水ノズルおよび消防ホースを取り出し、消防ホースを延焼場所まで延ばして、放水ノズルの開閉弁を開く。開弁動作に伴って消火栓ポンプが動作するので、放水が始まる。このような消火栓設備は特許文献１に記載されている。
【特許文献１】特開２００２−３６９８９３号公報
【発明の開示】
【発明が解決しようとする課題】
【０００４】
消火栓設備には、水源容量、放水圧力、放水量、送水管の強度などに関する基準が消防法施行規則等によって設けられている。例えば、放水ノズル先端における放水量が６０リットル／分以上などと規定されている。また、送水管は合成樹脂製で消防庁長官が定める基準に適合するもの、などと規定されている。
【０００５】
これらの規格は、火災発生直後に行われる初期消火に対しては、十分過ぎるものである。例えば、てんぷら油に火がついた場合、火災発生直後であれば５リットル程度の水で鎮火させることができると言われている。また、ストーブが発火した場合でも１０リットル程度の水で鎮火させることができるといわれている。従って、６０リットル／分の放水量で初期消火を行うと、初期消火のために室内を水浸しにし、下階まで浸水させてしまうことがある。また、これらの基準を満たす消火栓設備を設置するためには、コストがかかる。さらに、防火用水槽の設置や送水管をビル内に敷設する作業が大変であり、既存のビル内に設置することは容易ではない。
【０００６】
本発明の課題は、このような点に鑑みて、簡単かつ安価に設置でき、初期消火に適した操作が簡単なビル用消火栓設備を提案することにある。
【課題を解決するための手段】
【０００７】
上記の課題を解決するために、本発明のビル用消火栓設備は、ビルの各階に設置されている消火栓ユニットと、ビル内に設置されている消火用水タンクと、この消火用水タンクに貯留されている消火用水を圧送するための圧送ユニットと、前記圧送ユニットによって圧送される消火用水を各階の消火栓ユニットに供給するために、ビルの１階から最上階まで垂直に延びている垂直圧送管とを有し、この垂直圧送管には、高圧ゴムホースが用いられていることを特徴としている。
【０００８】
図１は、本発明を適用したビル用消火栓設備を示す概略構成図である。ビル２０は、たとえば、地上１５０ｍの５０階建てである。ビル用消火栓設備１は、ビル２０の各階に設置されている消火栓ユニット２と、ビル２０の地下室に設置されている消火用水タンク３と、この消火用水タンク３に貯留されている消火用水を圧送するための圧送ユニット４と、この圧送ユニット４によって圧送される消火用水を各階の消火栓ユニット２に供給するために、ビル２０の地下から最上階までほぼ垂直に延びている垂直圧送管５とを有している。消化用水タンク３にはシスターンを取り付けておき、水源から水を補給して常に一定量の水量を確保しておくようにしてもよい。
【０００９】
この垂直圧送管５には、好ましくは、１５Ｍｐａ以上の耐圧特性を備えた高圧ゴムホースが用いられている。この垂直圧送管５には例えば３ｃｍ直径程度のものを用いることができる。また、垂直圧送管５には、各階の消火栓ユニット２に対応する部位に分岐管（カプラ）６が接続されている。さらに、凍結防止用のオートマチックドレーン３０を取り付けておくことが望ましい。
【００１０】
各階の消火栓ユニット２は、垂直圧送管５の分岐管６に後端が接続されている消火用ホース７と、この消火用ホース７の先端に取り付けられている放水ノズル８とを備えている。消火用ホース７にも高圧ゴムホースを用いることが望ましい。また、各階の消火栓ユニット２は、放水ノズル８が配置されている放水ノズル配置部９と、この放水ノズル配置部９から放水ノズル８が取り外されるとスタート信号を発信するスタートスイッチ１０とを備えている。
【００１１】
ビル２０の地下室に配置されている圧送ユニット４は、例えば、エンジン１１、圧送ポンプ１２および制御盤１３を備えている。制御盤１３は、各階のスタートスイッチ１０からスタート信号を受け取ると、エンジン１１を駆動して圧送ポンプ１２によって消火用水の圧送を開始する。
【００１２】
例えば、圧送ポンプ１２によって放水ノズル８から５〜１０リットル／分の放水量が得られるようになっている。このため、垂直圧送管５は直径が約３ｃｍの高圧ゴムホースが使用されている。また、放水ノズル８はピストル型をしており、グリップ部８ｂを握ることにより放水可能である。さらに、放水ノズル８の先には噴霧角度調整具８ａが取り付けられており、噴霧角度を広狭に調整可能となっている。例えば、棒状に放水する噴霧角度が０度の状態Ａ、約６０度の角度範囲で噴霧する状態Ｂ、約１２０の角度範囲で噴霧する状態Ｃが選べるようになっている。
【発明の効果】
【００１３】
本発明のビル用消火栓設備では、圧送管、または、圧送管および消火用ホースに、高圧ゴムホースを用いている。高圧ゴムホースは、簡単に曲げることができるので、エレベータダクト、設備配管用ダクトなどにおける空きスペースを利用して簡単に敷設できる。したがって、既存のビルにも簡単に敷設できる。また、耐圧ゴムホースとして１５Ｍｐａの耐圧に耐えるものを用いれば、地上１５０ｍのビルの最上階まで消火用水を圧送可能である。特に、５〜１０リットル／分の放水量でよい初期消火に適している。
【００１４】
さらに、放水ノズルを取り外すとスタート信号が発生するスタートスイッチを備えている場合には、放水開始のための開栓操作、開弁操作などが不要であるので、操作が簡単になる。
【００１５】
さらにまた、放水ノズルは噴霧角度が調整可能であるので、てんぷら油に引火した場合や、ストーブが発火した場合には、噴霧角度を調節して強力な霧を発生させることにより、火元を酸欠状態にして消火することができる。
【図面の簡単な説明】
【００１６】
【図１】本発明を適用した消火栓設備の概略構成図である。
【符号の説明】
【００１７】
１    消火栓設備
２    消火栓ユニット
３    消火用水タンク
４    圧送ユニット
５    垂直圧送管
６    分岐管
７    消火用ホース
８    放水ノズル
８ａ  噴霧角度調整具
８ｂ  グリップ部
９    放水ノズル配置部
１０  スタートスイッチ
１１  エンジン
１２  圧送ポンプ
１３  制御盤
２０  ビル
【図１】
2009125360.tif 000003